(57)【要約】【課題】  脱硫装置の運転条件に影響を受けることなく、石膏から不純物を効率よく分離し、純度の高い石膏を得ることができる石膏回収システム及び石膏回収方法を提供する。【解決手段】  本発明に係る石膏回収方法は、排ガスを吸収液により脱硫する脱硫装置の系外に、水と水銀を少なくとも含有する石膏を石膏スラリーとして排出する石膏スラリー排出工程と、前記脱硫装置の系外にて、前記石膏スラリー中の前記石膏から水銀を溶出させて分離する水銀除去工程とを少なくとも含み、前記水銀除去工程では、ＯＲＰ上昇−ｐＨ低下手段により、前記石膏スラリーの酸化還元電位を前記石膏スラリー排出工程直後の前記石膏スラリーの酸化還元電位より高く、及び／又は、前記石膏スラリーのｐＨ値を前記石膏スラリー排出工程直後の前記石膏スラリーのｐＨ値より低くする。【選択図】  図１
2018171573.tif 000002
【特許請求の範囲】
【請求項１】
排ガスを吸収液により脱硫する脱硫装置の系外に、水と水銀を少なくとも含有する石膏を石膏スラリーとして排出する石膏スラリー排出工程と、
前記脱硫装置の系外にて、前記石膏スラリー中の前記石膏から水銀を溶出させて分離する水銀除去工程と
を少なくとも含み、
前記水銀除去工程では、ＯＲＰ上昇−ｐＨ低下手段により、前記石膏スラリーの酸化還元電位を前記石膏スラリー排出工程直後の前記石膏スラリーの酸化還元電位より高く、及び／又は、前記石膏スラリーのｐＨ値を前記石膏スラリー排出工程直後の前記石膏スラリーのｐＨ値より低くすることを特徴とする石膏回収方法。
【請求項２】
前記石膏スラリー排出工程直後の前記石膏スラリーの酸化還元電位が１００以上３００ｍＶ以下、及び／又はｐＨ値が４．０以上６．０以下であることを特徴とする請求項１に記載の石膏回収方法。
【請求項３】
前記水銀除去工程が、
前記ＯＲＰ上昇−ｐＨ低下手段を用いて、前記石膏スラリー中の前記石膏から前記石膏スラリーの液相に水銀を溶出させる水銀溶出工程と、
前記水銀溶出工程後又は前記水銀溶出工程中に、前記石膏スラリーを洗浄液により洗浄しながら固液分離すると共に、固体の石膏を回収する石膏分離回収工程と
を含むことを特徴とする請求項１又は２に記載の石膏回収方法。
【請求項４】
前記水銀溶出工程で溶出された溶液中の水銀を薬剤により固形化した後、前記溶液と水銀とに固液分離し該水銀を回収する水銀回収工程と、
前記水銀を分離した溶液を排水として処理する排水処理工程と
を更に含むことを特徴とする請求項３に記載の石膏回収方法。
【請求項５】
前記水銀溶出工程では、前記石膏スラリーを分離槽内若しくは固液分離部上に供給して、前記ＯＲＰ上昇−ｐＨ低下手段により前記分離槽内若しくは前記固液分離部上に酸化剤及び／又は酸を供給することによって、前記分離槽内若しくは前記固液分離部上の石膏スラリーの酸化還元電位を少なくとも４００ｍＶまで上昇させ、及び／又は前記分離槽内若しくは前記固液分離部上の石膏スラリーのｐＨ値を４．５以下まで低下させ、
前記排水処理工程では、前記水銀を分離した溶液の一部を前記排水として排水処理又は無排水化処理し、かつその他の溶液について、前記脱硫装置に送液する再利用、前記水銀溶出工程にて再利用及び前記石膏分離回収工程の前記洗浄液として再利用のうちの少なくとも１つ以上の再利用を行うことを含むことを特徴とする請求項４に記載の石膏回収方法。
【請求項６】
前記石膏がマンガン化合物を更に含有し、
前記水銀除去工程前に、前記石膏スラリーから前記マンガン化合物を含有する溶液を固液分離する固液分離工程を更に含み、
前記固液分離工程では、前記マンガン化合物を含有する溶液を前記排水処理工程の前記排水に合流させることを特徴とする請求項３又は４に記載の石膏回収方法。
【請求項７】
前記水銀除去工程前に、前記石膏を大粒径の石膏と小粒径の石膏に分離する粒径分離工程と、
前記大粒径の石膏を含む石膏スラリーを固液分離するように固液分離工程と
を更に含み、
前記小粒径の石膏を含む石膏スラリーを固液分離した後に前記小粒径の石膏を回収すると共に前記水銀溶出工程に利用し、前記大粒径の石膏を含む石膏スラリーを固液分離した後に前記大粒径の石膏を回収し、前記大粒径及び小粒径の石膏スラリーから固液分離した溶液を前記排水処理工程にて処理することを特徴とする請求項３又は４に記載の石膏回収方法。
【請求項８】
前記石膏分離回収工程にて回収した石膏の一部を粉砕部に供給して粉砕し、前記粉砕した石膏を前記脱硫装置に供給して水銀除去剤として利用する粉砕工程を更に含むことを特徴とする請求項７に記載の石膏回収方法。
【請求項９】
排ガスを吸収液により脱硫する脱硫装置の系外に配置した石膏回収システムであって、
前記脱硫装置の系外にて、前記脱硫装置から排出された水と水銀とを少なくとも含有する石膏スラリー中の石膏から水銀を溶出させて分離するように構成された水銀除去装置と
を少なくとも備え、
前記水銀除去装置が、ＯＲＰ上昇−ｐＨ低下手段を備え、前記ＯＲＰ上昇−ｐＨ低下手段により、前記水銀を含有する石膏スラリーの酸化還元電位を前記脱硫装置から排出した直後の石膏スラリーの酸化還元電位よりも高く、及び／又は、前記石膏スラリーのｐＨ値を前記脱硫装置から排出した直後の石膏スラリーのｐＨ値よりも低くさせるように構成されたことを特徴とする石膏回収システム。
【請求項１０】
前記脱硫装置から排出した直後の石膏スラリーの酸化還元電位が１００以上３００ｍＶ以下、及び／又は前記脱硫装置から排出した直後の石膏スラリーのｐＨ値が４．０以上６．０以下であることを特徴とする請求項９に記載の石膏回収システム。
【請求項１１】
前記水銀除去装置が、
前記ＯＲＰ上昇−ｐＨ低下手段を用いて、前記石膏スラリー中の石膏から前記石膏スラリーの液相に水銀を溶出させるように構成された水銀溶出部と、
前記水銀溶出部の後流に位置し又は前記水銀溶出部として、洗浄液供給部を備え、前記石膏スラリーを前記洗浄液供給部からの洗浄液により洗浄しながら固液分離すると共に、固体の石膏を回収するように構成された石膏分離回収部と
を備え、
前記水銀溶出部の後流に位置し、前記薬剤供給部を備え、前記水銀溶出部で溶出された溶液中の水銀を前記薬剤供給部からの薬剤により固形化した後、前記溶液と水銀とに固液分離し該水銀を回収するように構成された水銀回収装置と、
前記水銀回収装置の後流に位置し、前記水銀を分離した溶液を排水として処理するように構成された排水処理装置と
を更に備えることを特徴とする請求項９又は１０に記載の石膏回収システム。
【請求項１２】
前記水銀溶出部が、分離槽若しくは前記水銀溶出部の後流に位置した固液分離部であり、前記石膏スラリーを前記分離槽内若しくは前記固液分離部上に供給して、前記ＯＲＰ上昇−ｐＨ低下手段から酸化剤及び／又は酸を供給することにより、前記分離槽内若しくは前記固液分離部上の石膏スラリーの酸化還元電位を少なくとも４００ｍＶまで上昇させ、及び／又は石膏スラリーのｐＨ値を４．５以下まで低下させるように構成され、
前記排水処理装置が、排水処理設備又は無排水化処理設備と前記脱硫装置と前記水銀溶出部と前記石膏分離回収部とにそれぞれ流路を介して独立して連通し、前記水銀を分離した溶液の一部を排水として排水処理又は無排水化処理し、かつその他の溶液について、前記脱硫装置に送液して再利用、前記水銀溶出部にて送液して再利用及び前記石膏分離回収部の前記洗浄液として再利用のうちの少なくとも１つ以上の再利用を行うように構成されたことを特徴とする請求項１１に記載の石膏回収システム。
【請求項１３】
前記石膏がマンガン化合物を更に含有し、
前記水銀除去装置の前流に位置し、前記石膏スラリーから前記マンガン化合物を含有する溶液を固液分離すると共に、前記マンガン化合物を含有する溶液を前記排水処理装置の前記排水に合流させるように構成された固液分離部を更に備えることを特徴とする請求項１１又は１２に記載の石膏回収システム。
【請求項１４】
前記水銀除去装置の前流に位置し、前記石膏を大粒径の石膏と小粒径の石膏に分離するように構成された分級部と、
前記大粒径の石膏を含む石膏スラリーを固液分離するように構成された固液分離部と、
を更に備え、
前記小粒径の石膏を含む石膏スラリーを固液分離した後に前記小粒径の石膏を回収すると共に前記水銀溶出装置に利用し、前記大粒径の石膏を含む石膏スラリーを固液分離した後に前記大粒径の石膏を回収し、前記大粒径及び前記小粒径の石膏を含む石膏スラリーから固液分離した溶液を前記排水処理装置で処理するように構成されたことを特徴とする請求項１１又は１２に記載の石膏回収システム。
【請求項１５】
前記石膏分離回収部にて回収した石膏の一部を粉砕部に供給して粉砕し、前記粉砕した石膏を前記脱硫装置に供給して前記水銀除去剤として利用するように構成された粉砕機を更に備えることを特徴とする請求項１４に記載の石膏回収システム。
【発明の詳細な説明】
【技術分野】
【０００１】
本発明は、石膏回収システム及び石膏回収方法に関し、特に石灰石膏法を用いた脱硫装置の系外へ排出した石膏から水銀を除去して回収する石膏回収システム及び石膏回収方法に関する。
【背景技術】
【０００２】
従来より、火力プラント等のプラントでは、大気への有害物質の排出を抑制するために、種々の排ガス処理システムや排ガス処理方法が開発されてきている。このようなシステムとしては、ボイラ、脱硝装置、電気集塵機及び石灰石膏法を用いた脱硫装置を有し、脱硫装置にて吸収液に硫黄酸化物(ＳＯｘ)を吸収させると共に副生物となる石膏に同じく脱硫装置で吸収された水銀等の不純物を含有させることにより、排ガスを浄化して石膏を系外へ排出するシステムが知られている（例えば、特許文献１）。
【先行技術文献】
【特許文献】
【０００３】
【特許文献１】国際公開第２０１２／１７６６３５号
【発明の概要】
【発明が解決しようとする課題】
【０００４】
上記した例では、システムの系外に排出された石膏を取り扱う場合、石膏スラリー及び／又は石膏中の不純物、特に水銀の含有量を減少させることが要求されている。また、システム内、特に脱硫を主な目的とする脱硫装置からの気相への水銀排出を抑制しようとすると、脱硫装置の運転条件の制約により、石膏から不純物を分離して純度の高い石膏を得ることを困難なことがあった。
【０００５】
本発明は、前記事情に照らして、脱硫装置の運転条件に影響を受けることなく、石膏スラリー及び／又は石膏から不純物を効率よく分離し、純度の高い石膏を得ることができる石膏回収システム及び石膏回収方法を提供することを目的とする。
【課題を解決するための手段】
【０００６】
本発明の一態様に係る石膏回収方法は、排ガスを吸収液により脱硫する脱硫装置の系外に、水と水銀を少なくとも含有する石膏を石膏スラリーとして排出する石膏スラリー排出工程と、前記脱硫装置の系外にて、前記石膏スラリー中の前記石膏から水銀を溶出させて分離する水銀除去工程とを少なくとも含む。また、前記水銀除去工程では、ＯＲＰ上昇−ｐＨ低下手段により、前記石膏スラリーの酸化還元電位を前記石膏スラリー排出工程直後の前記石膏スラリーの酸化還元電位より高く、及び／又は、前記石膏スラリーのｐＨ値を前記石膏スラリー排出工程直後の前記石膏スラリーのｐＨ値より低くすることを含む。なお、本明細書にて、「スラリー」とは、例えば、スラリーや脱硫反応で生成した副生石膏粒子を主成分とする固形分と未反応の脱硫剤やフライアッシュ他、不純物固形分と水分が共存する液を意図している。本明細書にて「脱硫剤」とは、石灰石等炭酸カルシウムを主成分とする吸収剤を意図している。
【０００７】
また、本発明の一態様に係る石膏回収方法では、前記石膏スラリー排出工程直後の前記石膏スラリーの酸化還元電位(ＯＲＰ)が１００以上３００ｍＶ以下、及び／又はｐＨ値が４．０以上６．０以下である。なお、本明細書にて「酸化還元電位」及び「ＯＲＰ」は、銀−塩化銀電極の電極電位を基準とする値を意図している。
【０００８】
また、本発明の一態様に係る石膏回収方法では、前記水銀除去工程が、前記ＯＲＰ上昇−ｐＨ低下手段を用いて、前記石膏スラリー中の前記石膏から前記石膏スラリーの液相に水銀を溶出させる水銀溶出工程と、前記水銀溶出工程後又は前記水銀溶出工程中に、石膏スラリーを洗浄液により洗浄しながら固液分離すると共に、固体の石膏を回収する石膏分離回収工程とを含む。
【０００９】
また、本発明の一態様に係る石膏回収方法は、前記水銀溶出工程で溶出された溶液中の水銀を薬剤により固形化した後、前記溶液と水銀とに固液分離し該水銀を回収する水銀回収工程と、前記水銀を分離した溶液を排水として処理する排水処理工程とを更に含む。なお、本明細書にて「溶液」は、石膏スラリーから石膏を濾過等により分離した濾液等の溶液を意図している。
【００１０】
また、本発明の一態様に係る石膏回収方法では、前記水銀溶出工程では、前記石膏スラリーを分離槽内又は固液分離部に供給して、前記ＯＲＰ上昇−ｐＨ低下手段により前記分離槽内若しくは前記固液分離部上に酸化剤及び／又は酸を供給することによって、前記分離槽内若しくは前記固液分離部上の石膏スラリーの酸化還元電位を少なくとも４００ｍＶまで上昇させ、及び／又は前記分離槽内若しくは前記固液分離部上の石膏スラリーのｐＨ値を４．５以下まで低下させる。また、前記排水処理工程では、前記水銀を分離した溶液の一部を排水として排水処理又は無排水化処理し、かつその他の溶液について、前記脱硫装置に送液する再利用、前記水銀溶出工程にて再利用及び前記石膏分離回収工程の前記洗浄液として再利用のうちの少なくとも１つ以上の再利用を行うことを含む。
【００１１】
また、本発明の一態様に係る石膏回収方法は、前記石膏がマンガン化合物を更に含有し、前記水銀除去工程前に、前記石膏スラリーから前記マンガン化合物を含有する溶液を固液分離する固液分離工程を更に含む。また、前記固液分離工程では、前記マンガン化合物を含有する溶液を前記排水処理工程の前記排水に合流させる。
【００１２】
また、本発明の一態様に係る石膏回収方法は、前記水銀除去工程前に、前記石膏を大粒径の石膏と小粒径の石膏に分離する粒径分離工程と、前記大粒径の石膏を含む石膏スラリーを固液分離するように固液分離工程とを更に含む。また、前記小粒径の石膏を含む石膏スラリーを固液分離した後に前記小粒径の石膏を回収すると共に前記水銀溶出工程に利用し、前記大粒径の石膏を含む石膏スラリーを固液分離した後に前記大粒径の石膏を回収し、前記大粒径及び小粒径の石膏スラリーから固液分離した溶液を前記排水処理工程で処理する。
【００１３】
また、本発明の一態様に係る石膏回収方法は、前記石膏分離回収工程にて回収した石膏の一部を粉砕部に供給して粉砕し、前記粉砕した石膏を前記脱硫装置に供給して水銀除去剤として利用する粉砕工程を更に含む。
【００１４】
また、本発明の一態様に係る石膏回収システムは、排ガスを吸収液により脱硫する脱硫装置の系外に配置した石膏回収システムであって、前記脱硫装置の系外にて、前記脱硫装置から排出された水と水銀とを少なくとも含有する石膏スラリー中の石膏から水銀を溶出させて分離するように構成された水銀除去装置とを少なくとも備える。また、前記水銀除去装置が、ＯＲＰ上昇−ｐＨ低下手段を備え、前記ＯＲＰ上昇−ｐＨ低下手段により前記水銀を含有する石膏スラリーの酸化還元電位を前記脱硫装置から排出した石膏スラリーの酸化還元電位よりも高く、及び／又は、前記石膏スラリーのｐＨ値を前記脱硫装置から排出した石膏スラリーのｐＨ値よりも低くさせるように構成されている。
【００１５】
また、本発明の一態様に係る石膏回収システムでは、前記脱硫装置から排出した石膏スラリーの酸化還元電位が１００以上３００ｍＶ以下、及び／又は前記脱硫装置から排出した石膏スラリーのｐＨ値が４．０以上６．０以下である。
【００１６】
また、本発明の一態様に係る石膏回収システムでは、前記水銀除去装置が、前記ＯＲＰ上昇−ｐＨ低下手段を用いて、前記石膏スラリー中の石膏から前記石膏スラリーの液相に水銀を溶出させるように構成された水銀溶出部と、前記水銀溶出部の後流に位置し又は前記水銀溶出部として、洗浄液供給部を備え、前記石膏スラリーを前記洗浄液供給部からの洗浄液により洗浄しながら固液分離すると共に、固体の石膏を回収するように構成された石膏分離回収部とを備える。また、前記システムは、前記水銀溶出部の後流に位置し、前記薬剤供給部を備え、前記水銀溶出部で溶出された溶液中の水銀を前記薬剤供給部からの薬剤により固形化した後、前記溶液と水銀とに固液分離し該水銀を回収するように構成された水銀回収装置と、前記水銀回収装置の後流に位置し、前記水銀を分離した溶液を排水として処理するように構成された排水処理装置とを更に備える。
【００１７】
また、本発明の一態様に係る石膏回収システムでは、前記水銀溶出部が、分離槽若しくは前記水銀溶出部の後流に位置した固液分離部であり、前記石膏スラリーを前記分離槽内若しくは前記固液分離部上に供給して、前記ＯＲＰ上昇−ｐＨ低下手段から酸化剤及び／又は酸を供給することにより、前記分離槽内若しくは前記固液分離部上の石膏スラリーの酸化還元電位を少なくとも４００ｍＶまで上昇させ、及び／又は石膏スラリーのｐＨ値を４．５以下まで低下させるように構成されている。また、前記排水処理装置が、排水処理設備又は無排水化処理設備と前記脱硫装置と前記水銀溶出部と前記石膏分離回収部とにそれぞれ流路を介して独立して連通し、前記水銀を分離した溶液の一部を排水として排水処理又は無排水化処理し、かつその他の溶液について、前記脱硫装置に送液して再利用、前記水銀溶出部にて送液して再利用及び前記石膏分離回収部の前記洗浄液として再利用のうちの少なくとも１つ以上の再利用を行うように構成されている。
【００１８】
また、本発明の一態様に係る石膏回収システムは、前記石膏がマンガン化合物を更に含有し、前記水銀除去装置の前流に位置し、前記石膏スラリーから前記マンガン化合物を含有する溶液を固液分離すると共に、前記マンガン化合物を含有する溶液を前記排水処理装置の前記排水に合流させるように構成された固液分離部を更に備える。
【００１９】
また、本発明の一態様に係る石膏回収システムは、前記水銀除去装置の前流に位置し、前記石膏を大粒径の石膏と小粒径の石膏に分離するように構成された分級部と、前記大粒径の石膏を含む石膏スラリーを固液分離するように構成された固液分離部とを更に備える。また、前記システムは、前記小粒径の石膏を含む石膏スラリーを固液分離した後に前記小粒径の石膏を回収すると共に前記水銀溶出装置に利用し、前記大粒径の石膏を含む石膏スラリーを固液分離した後に前記大粒径の石膏を回収し、前記大粒径及び前記小粒径の石膏を含む石膏スラリーから固液分離した溶液を前記排水処理装置で処理するように構成されている。
【００２０】
また、本発明の一態様に係る石膏回収システムは、前記石膏分離回収部にて回収した石膏の一部を粉砕部に供給して粉砕し、前記粉砕した石膏を前記脱硫装置に供給して前記水銀除去剤として利用するように構成された粉砕機を更に備える。
【発明の効果】
【００２１】
本発明によれば、脱硫装置の運転条件に影響を受けることなく、石膏スラリー及び/又は石膏から不純物を効率よく分離し、純度の高い石膏を得ることができる石膏回収システム及び石膏回収方法が提供される。
【図面の簡単な説明】
【００２２】
【図１】図１は、本発明に係る石膏回収システム及び石膏回収方法について、システムの構成の第一実施の形態を示す概略図である。
【図２】図２は、本発明に係る石膏回収システム及び石膏回収方法について、水銀溶出部の一実施の形態を示す概略図である。
【図３】図３は、本発明に係る石膏回収システム及び石膏回収方法について、システムの構成の第二実施の形態を示す概略図である。
【図４】図４は、本発明に係る石膏回収システム及び石膏回収方法について、システムの構成の第三実施の形態を示す概略図である。
【図５】図５は、本発明に係る石膏回収システム及び石膏回収方法について、システムの構成の第四実施の形態を示す概略図である。
【図６】図６は、本発明に係る石膏回収システム及び石膏回収方法について、システムの構成の第五実施の形態を示す概略図である。
【発明を実施するための形態】
【００２３】
以下、添付図面を参照して、本発明に係る石膏回収システム及び石膏回収方法の実施の形態について、詳細に説明する。本発明は、以下に説明する実施の形態によって限定されない。また、添付図面は、本実施の形態の概要を説明するための図であり、付属する機器を一部省略している。
【００２４】
［１．第一実施の形態］
１.１．石膏回収システム
図１に示すように、第一実施の形態に係る石膏回収システムは、排ガスを吸収液により脱硫する脱硫装置１の系外にそれぞれ配置した水銀除去装置１０と、水銀回収装置２０と、排水処理装置３０とを備えている。本明細書にて「系外」とは、脱硫装置１を一つの設備として備えた排ガスを浄化するシステムの系外を意図しており、例えば、本明細書に記載のように、ボイラからの排ガスを脱硝する脱硝装置と、排ガスを集塵する集塵機と、石灰石膏法を用いて排ガスを脱硫する脱硫装置と、浄化した排ガスを排出する煙突とを備えることにより、排ガスを浄化するシステムの系外を意図している。また、このような脱硫装置から系外へ排出された石膏スラリーは、水と水銀とを少なくとも含有している。
【００２５】
水銀除去装置１０は、脱硫装置１の後流に位置し、水銀溶出部１１と石膏分離部１２と石膏回収部１３とを備えている。水銀除去装置１０は、脱硫装置１の系外に排出した水と水銀とを少なくとも含有する石膏スラリーを対象とし、石膏スラリー中の石膏から石膏スラリーの液相に水銀を溶出させることにより、水銀を分離するように構成されている。また、水銀除去装置１０は、後述するように、石膏スラリーを洗浄しながら固液分離すると共に、石膏スラリー中の石膏を回収するように構成されている。
【００２６】
水銀溶出部１１は、ＯＲＰ上昇−ｐＨ低下手段１０Ａを備え、脱硫装置１と排出流路Ｌ0を介して連結し、石膏分離部１２と流路Ｌ11を介して連結し、水銀回収装置２０と流路Ｌ12を介して連結している。また、水銀溶出部１１は、排水処理装置３０と流路Ｌ35を介して連結している。排出流路Ｌ0には、脱硫装置１から系外へ排出した石膏スラリーの酸化還元電位(ＯＲＰ：Oxidation-reduction Potential)及び／又はｐＨ値を計測するための酸化還元電位計(ＯＲＰ計)及び／又はｐＨ計を設けることができる。また、これらＯＲＰ計及び／又はｐＨ計として、脱硫装置１内部や脱硫装置１の液循環ライン等の図示しない位置に設けたＯＲＰ計及び／又はｐＨ計を利用することもできる。
【００２７】
具体的には、図２に示すように、水銀溶出部１１は、ＯＲＰ上昇−ｐＨ低下手段１０Ａと、ＯＲＰ計１５ａと、ｐＨ計１５ｂと、制御装置１５とを備え、例えば、その内部に石膏スラリーを貯留する分離槽である。また、水銀溶出部１１は、ＯＲＰ計１５ａ及びｐＨ計１５ｂのいずれか一つを備えた構成とすることもできる。
【００２８】
水銀溶出部１１は、その内部の石膏スラリーのＯＲＰを上昇させるために、ＯＲＰ上昇−ｐＨ低下手段１０Ａから酸化剤を供給するように構成されている。また、水銀溶出部１１は、その内部の石膏スラリーのｐＨを低下するために、ＯＲＰ上昇−ｐＨ低下手段１０Ａから酸を供給するように構成されている。ＯＲＰ計１５ａは、水銀溶出部１１内の石膏スラリーの酸化還元電位を計測する計測器であり、制御装置１５と電気的に接続している。また、ｐＨ計１５ｂは、水銀溶出部１１内の石膏スラリーのｐＨ計を計測する計測器であり、制御装置１５と電気的に接続している。制御装置１５は、前述のようにＯＲＰ計１５ａ及びｐＨ計１５ｂにそれぞれ独立して電気的に接続すると共に、ＯＲＰ上昇−ｐＨ低下手段１０Ａに設けた開閉弁１０ａと電気的に接続している。開閉弁１０ａは、開閉状態とその内部の流量を調整できる流量調整弁である。このように、制御装置１５は、ＯＲＰ計１５ａ及び／又はｐＨ計１５ｂにより計測した測定値に基づいて、制御装置１５からの制御信号により又は制御装置１５に開始命令を入力することにより、開閉弁１０ａの開閉状態と開閉弁１０ａを通過する酸化剤と酸の供給量をそれぞれ独立に制御するように構成されている。また、酸化剤と酸の供給については、制御装置１５による制御を介さなくてもよく、ＯＲＰ上昇−ｐＨ低下手段１０Ａから直接制御してもよい。すなわち、ＯＲＰ上昇−ｐＨ低下手段１０Ａは、制御装置１５からの自動制御又は手動操作により、水銀溶出部１１内の石膏スラリーのＯＲＰとｐＨ値の両方を調整するように酸化剤と酸の両方、水銀溶出部１１内の石膏スラリーのＯＲＰのみを調整するように酸化剤のみ、若しくは水銀溶出部１１内の石膏スラリーのｐＨ値のみを調整するように酸のみを添加できるように構成されている。
【００２９】
また、水銀溶出部１１は、その内部の石膏スラリーのＯＲＰを第一規定値まで上昇させるようにＯＲＰ上昇−ｐＨ低下手段１０Ａから酸化剤を供給するように構成されている。また、水銀溶出部１１は、その内部の石膏スラリーのｐＨ値を第二規定値まで低下させるように、酸を供給するように構成されている。前記第一規定値及び前記第二規定については後述する。
【００３０】
図１に示すように、石膏分離部１２は、水銀溶出部１１の後流に位置し、流路Ｌ34に連結した図示しない洗浄液供給部を備えた、ベルトフィルタ等の固液分離機である。石膏分離部１２は、石膏回収部１３と流路ＬＧを介して連結し、水銀回収装置２０と流路Ｌ12を介して連結し、排水処理装置３０と流路Ｌ34を介して連結している。また、前記洗浄液供給部と流路Ｌ34との間には、石膏分離部１２上で洗浄を行うための水等の洗浄液を貯留する図示しない貯留槽が設けてある。このように、水銀除去装置１０の石膏分離部１２は、石膏回収部１３と共に、石膏分離回収部として、石膏スラリーを洗浄しながら固液分離すると共に、固体の石膏を回収石膏として回収するように構成されている。
【００３１】
水銀回収装置２０は、水銀を主に含有する溶液の流れ方向に沿って水銀除去装置１０の後流に位置し、水銀処理部２１と、水銀分離部２２と、水銀回収部２３とを備えている。水銀を主に含有する溶液は、図２中にて太矢印で示したように、流路Ｌ0、Ｌ11、Ｌ12、Ｌ21、ＬＨｇを流れる。
【００３２】
水銀処理部２１は、水銀を主に含有する溶液の流れ方向に沿って石膏分離部１２の後流に位置し、図示しない薬剤供給手段を備えた分離槽である。水銀処理部２１は、石膏分離部１２と流路Ｌ12を介して連結し、水銀回収部２３と流路Ｌ21を介して連結している。水銀分離部２２は、水銀を含有する溶液の流れ方向に沿って水銀処理部２１の後流に位置し、ベルトフィルタ等の固液分離機であり、排水処理装置３０と流路Ｌ31を介して連結している。また、水銀回収部２３は、水銀の流れ方向沿って水銀分離部２２の後流に位置し、水銀分離部２２と回収流路ＬＨｇを介して連結している。
【００３３】
水銀処理部２１の薬剤供給手段から供給する薬剤は、水銀を固形化させて分離できる薬剤であればよく、硫化水素ナトリウム(ＮａＨＳ)等を含有するキレート剤、キレート樹脂、活性炭等が挙げられる。これらのうち、水銀選択性の高いキレート剤、キレート樹脂又は活性炭の構成を適宜選択することができる。
【００３４】
排水処理装置３０は、水銀回収装置２０にて水銀が回収された溶液の流れ方向に沿って水銀回収装置２０の後流に位置し、流路Ｌ31〜Ｌ35とから構成される装置である。排水処理装置３０は、系外の排水処理設備又は無排水化設備と流路Ｌ32を介して連結し、脱硫装置１と流路Ｌ33を介して連結し、水銀除去装置１０の石膏分離部１２の洗浄液供給部と流路Ｌ34を介して連通し、水銀除去装置１０の水銀溶出部１１と流路Ｌ35を介して連通している。また、流路Ｌ33〜Ｌ35には、図示しない開閉弁が設けられている。前記開閉弁は、手動弁又は自動開閉弁でもよく、これらの流量開閉弁でもよい。前記排水処理設備としては、例えば、キレート剤、キレート樹脂等による処理、硫化物等による凝集沈殿処理、イオン交換樹脂による処理、活性炭による処理、生物処理等の排水処理を行う設備が挙げられる。また、前記無排水化設備としては、例えば、灰やセメントと排水を混練するセメント固化する処理、高温のガスと液を接触させ液を蒸発させる方法(スプレードライヤ)による処理、排水を蒸発結晶化させる方法(Evaporator/Crystallizer)による処理等の無排水化処理を行う設備が挙げられる。なお、前記排水処理設備及び無排水化処理設備には、上記した例以外の処理も採用できる。
【００３５】
以上の構成を備える石膏回収システムは、前述したように、例えば、石灰石膏法を用いて排ガスを脱硫する脱硫装置を一つの設備としたシステムの系外に配置されたシステムである。この場合、図１に示す脱硫装置１は、煤塵が除去された後の排ガス中のＳＯｘ及び二価水銀(Ｈｇ２＋)を、石灰石膏法を用いてその内部で除去する脱硫装置として構成されている。脱硫装置１は、排ガスをその塔底部の壁面側から送給すると共に、図示しない流路からの吸収液をその塔内の吸収液供給ノズル３から塔頂部側に向かって噴流させるように構成されている。脱硫装置１は、その塔底部側から上昇してくる排ガスと、吸収液供給ノズル３から噴流して流下する吸収液とを対向して気液接触させることにより、排ガス中のＳＯｘと二価水銀（Ｈｇ２＋)とを吸収液中に吸収して、排ガスから除去するように構成されている。吸収液を供給する方法として、例えばスプレー等による供給方法等の他の方法を採用することもできる。また、脱硫装置１は、吸収液により浄化した排ガスを、脱硫装置１の塔頂部側より排出し、煙突から外部に排出する。脱硫装置１内に供給する吸収液は、例えば、水に石灰石の粉末を溶解した石灰スラリー(ＣａＣＯ3)と、石灰と排ガス中のＳＯｘとの反応により生じた石膏スラリー(ＣａＳＯ4)と、水とを混合したスラリー状の液である。この場合、吸収液は、脱硫装置１内にて、下記式１及び式２に示すように、ＳＯｘと水と空気と反応して石膏としてＳＯｘを捕獲する。排ガス中の二価水銀(Ｈｇ２＋)は、脱硫装置１において吸収液に捕集され、石膏が生成する過程で石膏中に取り込まれる。これにより、二価水銀(Ｈｇ２＋)は、石膏内に捕獲されることとなる。このように、脱硫装置１は、吸収液を用いて、安定な状態で固相の石膏中に二価水銀(Ｈｇ２＋)を閉じ込め、石膏スラリー（吸収液）を脱硫装置１内の塔底部に貯留するように構成されている。その結果、脱硫装置１の系外に排出する石膏スラリーは、二価水銀(Ｈｇ２＋)をその内部に捕獲した固相の石膏(ＣａＳＯ4・２Ｈ2Ｏ)と水等の液相とを少なくとも含有している。また、このような脱硫装置の系外へ排出した石膏スラリーは、７０〜９０％程度の液相の水と１０〜３０％程度の固相の石膏とを少なくとも含有し、固相の石膏内に二価水銀を捕獲している。なお、吸収液供給ノズル３は、図中に示したように塔上部に向かって噴流させる形式のほか、塔底部側に向かって噴流させ、排ガスと対向接触させる形式や、上部と底部の双方向に同時噴霧する形式でも可能であり、図に示す方法に限定されない。
【００３６】
【化１】
2018171573.tif 000003
【００３７】
１.２．石膏回収方法
次に、本発明に係る石膏回収方法の第一実施の形態を説明する。第一実施の形態に係る石膏回収方法は、石膏スラリー排出工程と、水銀除去工程と、水銀回収工程と、排水処理工程とを含む。
【００３８】
石膏スラリー排出工程では、排ガスを吸収液により脱硫する脱硫装置の系外に水と水銀を少なくとも含有する石膏スラリーを排出する。本実施の形態では、先ず、排出した石膏スラリーを水銀除去装置１０の水銀溶出部１１内に流入させる。
【００３９】
水銀除去工程では、水銀溶出工程として、水銀溶出部１１にてＯＲＰ上昇−ｐＨ低下手段１０Ａを用い、石膏スラリー中の石膏から石膏スラリーの液相に水銀を溶出させる。また、その液相に水銀が溶出した石膏スラリーを、石膏分離部１２上に供給する。具体的には、水銀溶出部１１内に供給された石膏スラリーに、ＯＲＰ上昇−ｐＨ低下手段１０Ａから酸化剤を供給することにより、石膏スラリーの酸化還元電位を少なくとも第一規定値まで上昇させる。また、酸化還元電位を上昇する際に又は前記酸化還元電位の上昇とは独立して、水銀溶出部１１内に供給された石膏スラリーに、ＯＲＰ上昇−ｐＨ低下手段１０Ａから酸を供給することにより、石膏スラリーのｐＨ値を少なくとも第二規定値まで低下させる。
【００４０】
ＯＲＰ上昇−ｐＨ低下手段１０Ａにより供給する酸化剤は、石膏スラリーの酸化還元電位を上昇させることができる酸化剤であればよく、空気、塩素化合物(Ｃｌ2、ＣｌＯ−)、酸素(Ｏ2)、オゾン(Ｏ3)、過酸化水素(Ｈ2Ｏ2)、鉄化合物(Ｆｅ２＋、Ｆｅ３＋)等である。これらのうち、酸化剤は、空気又は塩素酸化合物が好ましく、空気、次亜塩素酸塩(ＮａＣｌＯ等)又はオゾンがより好ましい。酸化剤として空気又は次亜塩素酸塩又はオゾンを用いれば、流路Ｌ11の液が流路Ｌ33を介して最終的に脱硫装置１に流入した際に、脱硫装置１への影響を最小限にとどめることができる。
【００４１】
ＯＲＰ上昇−ｐＨ低下手段１０Ａにより上昇させる石膏スラリーの酸化還元電位は、石膏スラリーの酸化還元電位を脱硫装置１の系外に排出した直後の石膏スラリーの酸化還元電位よりも高い値（第一規定値）まで上昇させればよい。第一規定値は、少なくとも４００ｍＶが好ましく、８００ｍＶがより好ましい。酸化還元電位を８００ｍＶまで上昇すれば、石膏中の水銀のほぼ全量を石膏スラリーの液相に溶出させることができる。
【００４２】
また、前述したような脱硫装置１内では、還元雰囲気下で二価水銀(Ｈｇ２＋)が還元されて金属水銀(Ｈｇ０)となり、排ガス中へ再飛散することを防止するために、石膏スラリー（吸収液）の酸化還元電位を１００ｍＶ以上３００ｍＶ以下の範囲に維持する必要がある。このため、脱硫装置１の系外に排出した直後の石膏スラリーの酸化還元電位は、１００ｍＶ以上３００ｍＶ以下と推定できる。したがって、ＯＲＰ上昇−ｐＨ低下手段１０Ａにより、石膏スラリーの酸化還元電位を１００ｍＶ以上３００ｍＶ以下の範囲から少なくとも４００ｍＶまで上昇させることが好ましく、１００ｍＶ以上３００ｍＶ以下の範囲から少なくとも８００ｍＶまで上昇させることが更に好ましい。また、石膏スラリーの酸化還元電位については、前述したように、脱硫装置１内部や脱硫装置１の液循環ライン等の図示しない位置又は排出流路Ｌ0に設けたＯＲＰ計により確認できる。
【００４３】
ＯＲＰ上昇−ｐＨ低下手段１０Ａにより供給する酸は、石膏のｐＨ値を低下させることができる酸であればよく、塩酸(ＨＣｌ)、硝酸(ＨＮＯ3)、希硫酸等の硫酸(Ｈ2ＳＯ4)等である。これらのうち、酸は、硫酸が好ましい。酸として硫酸を用いれば、硫酸は脱硫装置１内に元々存在している物質であるため、流路Ｌ11の液が流路Ｌ33を介して最終的に脱硫装置１に流入した際に、脱硫装置１への影響を最小限にとどめることができる。
【００４４】
ＯＲＰ上昇−ｐＨ低下手段１０Ａにより低下させる石膏スラリーのｐＨ値は、石膏スラリーのｐＨ値を、脱硫装置１の系外に排出した直後の石膏スラリーのｐＨ値よりも低い値（第二規定値）まで低下させればよい。第二規定値は、４．５以下が好ましく、４．０以下がより好ましい。ＯＲＰ上昇−ｐＨ低下手段１０Ａにより石膏スラリーのｐＨ値を低下させるほど、石膏から石膏スラリーの液相へ溶出する水銀の量を増加できる。
【００４５】
また、脱硫装置１内の石膏スラリーのｐＨ値は、脱硫装置１内で脱硫率の低下や亜硫酸カルシウムの析出によるスケーリングの発生を防ぐために、４．０以上６．５以下の範囲に維持する必要がある。このため、脱硫装置１の系外に排出した直後の石膏スラリーのｐＨ値は、４．０以上６．５以下と推定できる。したがって、ＯＲＰ上昇−ｐＨ低下手段１０Ａにより低下させる石膏スラリーのｐＨ値は、４．０以上６．５以下の範囲から４．５以下まで低下させることが好ましく、４．０以上６．５以下の範囲から４．０以下まで低下させることがより好ましい。また、石膏スラリーのｐＨ値については、前述したように、脱硫装置１内部や脱硫装置１の液循環ライン等の図示しない位置又は排出流路Ｌ0にｐＨ計により確認できる。
【００４６】
また、水銀除去工程では、石膏分離回収工程として、石膏分離部１２上にその液相に水銀を含有する石膏スラリーを供給して固液分離する。また、固液分離中に、石膏分離部１２上の石膏スラリーに図示しない洗浄液供給手段からの洗浄液を添加して、洗浄する。固液分離と洗浄により、石膏分離部１２上には固体の石膏が残留し、水銀を含有する石膏スラリーの液相は石膏分離部１２から水銀を含有する溶液として流路Ｌ12に排出される。この水銀を含有する溶液は、主に石膏スラリーの液相と洗浄液からなる。石膏分離部１２上に残留した固体の石膏を石膏回収部１３に供給して、回収石膏として回収する。また、流路Ｌ12に排出した水銀を含有する溶液を水銀回収装置２０の水銀処理部２１に送液する。
【００４７】
また、水銀除去工程では、前記洗浄液の温度を、１０℃以上８０℃以下とすることが好ましく、５０℃以上８０℃以下とすることがより好ましい。このように、洗浄液の温度を常温より高くすることにより、水銀の溶解度が上昇し、水銀の溶出を促進することができる。
【００４８】
また、水銀除去工程では、石膏当りの洗浄水量を０．１〜１０００ｍＬ／ｇ−石膏とすることが好ましく、１〜１００ｍＬ／ｇ−石膏とすることがより好ましい。これにより、石膏からの水銀除去効果が充分得られると共に、排水の水銀処理が必要となる排水量を低減することができる。
【００４９】
水銀回収工程では、水銀処理部２１内にて、水銀を含有する溶液に図示しない薬剤供給手段からの薬剤を供給することにより、溶液中の水銀を固形化して水銀化合物とする。固形化した水銀を含有する溶液を、水銀分離部２２に供給する。次いで、水銀分離工程として、水銀分離部２２上にて固形化した水銀を含有する溶液を供給して固液分離する。固液分離により、水銀分離部２２上には固体の水銀化合物が残留し、水銀を分離した溶液は水銀分離部２２から排水処理装置３０の流路Ｌ31に排出される。水銀分離部２２上の固体の水銀化合物を水銀回収部２３に送り、回収する。水銀化合物は、例えば、薬剤として硫化水素ナトリウムを含有するキレート剤を用いれば、辰砂(ＨｇＳ)であり、キレート樹脂・活性炭等を用いれば、水銀を吸着した樹脂・活性炭等の化合物である。
【００５０】
排水処理工程では、排水処理装置３０の流路Ｌ31に排出した溶液の一部を排水として流路Ｌ32から系外に排出することにより、排水処理又は無排水化処理を行う。また、流路Ｌ31に排出した溶液の他の一部を流路Ｌ33から脱硫装置１に送液することにより、脱硫装置１内にて消費する水として再利用する。また、流路Ｌ31に排出した溶液の別の他の一部を流路Ｌ35から水銀除去装置１０の水銀溶出部１１に送液することにより、水銀溶出工程にて消費する水として再利用する。更に、流路Ｌ31に排出した溶液の残部を流路Ｌ34から石膏回収部１２の洗浄液供給部に送液することにより、石膏回収工程にて消費する洗浄液として再利用する。前記排水以外の溶液の３つの再利用については、前述した流路Ｌ33〜Ｌ35に設けた開閉弁を開閉制御することにより、少なくとも１つ以上の再利用を任意選択的に行うことができる。
【００５１】
第一実施の形態によれば、脱硫装置１の運転条件に干渉することなく、脱硫装置１の石膏スラリーから水銀を分離することにより、効率よく純度の高い石膏を回収できる。前述したように、脱硫装置１内では、吸収液中の水銀濃度が上昇すると、二価水銀(Ｈｇ２＋)として吸収された水銀が金属水銀に還元されて気相に放出される（再飛散）リスクが高まる虞がある。これに対して、本実施の形態では、脱硫装置１の系外で酸化還元電位を上げることにより、水銀が再飛散するリスクを低減しつつ石膏スラリーから水銀を分離できる。更に、脱硫装置１内では酸化阻害物質の存在等により吸収液の酸化還元電位を高い状態に維持できない可能性がある。これに対して、本実施の形態では、少なくとも酸化剤を用いるだけで酸化還元電位が高い状態を実現できる。また、脱硫装置１内でｐＨ値が低下した場合、亜硫酸カルシウムの生成によるスケールが発生することにより、脱硫装置１の脱硫率が低下する虞がある。これに対して、本実施の形態によれば、上記した問題を考慮せずに、石膏から石膏スラリーの液相へ溶出する水銀の量を増加できる。
【００５２】
また、本実施の形態によれば、石膏回収システムを脱硫装置１の系外にて水銀回収部を配置して水銀を回収するように構成したため、脱硫装置１内での使用に不向きなキレート剤、キレート樹脂又は活性炭を薬剤として有効活用して水銀を除去することができる。例えば、脱硫装置１内に直接的に薬剤を投入した場合、薬剤は必ず水銀選択性を有しているわけではないため、装置液中に含まれる別の金属イオンを吸着してしまう虞がある。その結果、薬剤の消費量が増大して、処理に要するコストが増加する。また、薬剤の粒径が細かいため、石膏と分離することが困難となる虞がある。本実施の形態によれば、このような問題を解決することができる。
【００５３】
［２．第二実施の形態］
２.１．石膏回収システム
次いで、図３を参照して本発明に係る石膏回収システムの第二実施の形態について説明する。図３に示すように、第二実施の形態に係る石膏回収システムは、第一実施の形態と比較して、水銀除去装置２１０と排水処理装置２３０を備える点において主に相違する。第一実施の形態と同様の構成については、同様の符号を付すと共に説明を省略する。また、図中にて太矢印で示したように、本実施の形態では、水銀を主に含有する溶液は流路Ｌ0、Ｌ12、Ｌ21、ＬＨｇを流れる。
【００５４】
水銀除去装置２１０は、脱硫装置１の後流に位置し、石膏分離部２１２と石膏回収部２１３とを備えている。水銀除装置２１０は、脱硫装置１の系外に排出した石膏スラリーを対象とし、洗浄により石膏スラリー中の石膏から水銀を溶出させながら固液分離すると共に、固体の石膏を回収石膏として回収するように構成されている。
【００５５】
石膏分離部２１２は、脱硫装置１の後流に位置し、ＯＲＰ上昇−ｐＨ低下手段２１０Ａと流路Ｌ34に連結した図示しない洗浄液供給部とを備えた、ベルトフィルタ等の固液分離機である。石膏分離部２１２は、石膏回収部２１３と流路ＬＧを介して連結し、水銀回収装置２０と流路Ｌ12を介して連結し、排水回収装置２３０と流路Ｌ34を介して連結している。また、前記洗浄液供給部と流路Ｌ34との間には石膏分離部２１２上で洗浄を行うための水等の洗浄液を貯留する図示しない貯留槽が設けてある。ＯＲＰ上昇−ｐＨ低下手段２１０Ａは、第一実施の形態と同様の構成を採用できる。すなわち、石膏分離部２１２は、石膏スラリーのＯＲＰを上昇させるために、ＯＲＰ上昇−ｐＨ低下手段２１０Ａから洗浄液に酸化剤を供給するように構成されている。また、石膏分離部２１２は、石膏スラリーのｐＨを低下させるために、ＯＲＰ上昇−ｐＨ低下手段２１０Ａから洗浄液に酸を供給するように構成されている。
【００５６】
石膏回収部２１３は、第一実施の形態と同様の構成を採用できる。したがって、石膏回収部２１３は、石膏分離部２１２と共に、第一実施の形態の石膏分離回収部として機能するように構成されている。このように、本実施の形態に係る水銀除去装置２１０は、石膏分離回収部が第一実施の形態の水銀溶出部１０を兼ねることにより、石膏スラリー中の石膏から水銀を溶出させて分離するように構成されている。すなわち、本実施の形態に係る水銀除去装置２１０では、石膏分離回収部が、第一実施の形態の水銀溶出部として、ＯＲＰ上昇−ｐＨ低下手段２１０Ａを用いて、石膏スラリー中の石膏から石膏スラリーの液相に水銀を溶出させると共に、石膏スラリーを洗浄液供給部からの洗浄液により洗浄しながら固液分離し、固体の石膏を回収するように構成されている。
【００５７】
また、石膏回収部２１３は、任意選択的に、図示しないＯＲＰ計と、ｐＨ計と、制御装置を備えることができる。また、石膏回収部２１３は、ＯＲＰ計及びｐＨ計のいずれか一つを備えた構成とすることもできる。これらＯＲＰ計、ｐＨ計及び制御装置は、第一実施の形態と同様の構成を採用できる。したがって、ＯＲＰ上昇−ｐＨ低下手段２１０Ａは、石膏回収部２１３の制御装置からの自動制御又は手動操作により、水銀溶出部２１２上の石膏のＯＲＰとｐＨ値の両方を調整するように酸化剤と酸の両方、水銀溶出部２１２上の石膏のＯＲＰのみを調整するように酸化剤のみ、若しくは水銀溶出部２１２上の石膏スラリーのｐＨ値のみを調整するように酸のみを添加できるように構成されている。更に、酸化剤と酸の供給については、制御装置を介さなくてもよく、ＯＲＰ上昇−ｐＨ低下手段２１０Ａから直接制御してもよい。
【００５８】
排水処理装置２３０は、水銀回収装置２０にて水銀が回収された溶液の流れ方向に沿って水銀回収装置２０の後流に位置し、流路Ｌ31〜Ｌ34とから構成される装置である。排水処理装置２３０は、系外の排水処理設備又は無排水化設備と流路Ｌ32を介して連結し、脱硫装置１と流路Ｌ33を介して連結し、水銀除去装置２１０の石膏分離部２１２の洗浄液供給部と流路Ｌ34を介して連通している。前記排水処理設備と無排水化設備には、第一実施の形態と同様の構成を採用できる。また、流路Ｌ33と流路Ｌ34には、第一実施形態と同様の開閉弁が設けられている。
【００５９】
２.２．石膏回収方法
次に、本発明に係る石膏回収方法の第二実施の形態を説明する。第二実施の形態に係る石膏回収方法は、水銀除去工程と、水銀回収工程と、排水処理工程とを少なくとも含む。前述した第一実施の形態と同様の方法については説明を省略する。
【００６０】
石膏スラリー排出工程では、排ガスを吸収液により脱硫する脱硫装置の系外に水と水銀を少なくとも含有する石膏スラリーを排出する。本実施の形態では、先ず、排出した石膏スラリーを水銀除去装置２１０の石膏分離部２１２に供給する。
【００６１】
水銀除去工程では、石膏分離部２１２上に供給した石膏スラリーに対して、ＯＲＰ上昇‐ｐＨ低下手段２１０Ａを用い、ＯＲＰを上昇させた及び／又はｐＨ値を低下させた洗浄液を添加し、前記洗浄液で石膏スラリーを洗浄しながら固液分離する。これにより、石膏スラリー中の石膏の水銀を、石膏スラリーの液相及び洗浄液に溶出させる。また、固液分離により、固体の石膏と水銀を含有する溶液とを分離する。この溶液は、石膏スラリーの液相及び洗浄液からなる。固液分離と洗浄により、石膏分離部２１２上には固体の石膏が残留し、水銀を含有する溶液は石膏分離部２１２から水銀を含有する溶液として流路Ｌ12に排出される。この水銀を含有する溶液は、主に石膏スラリーの液相と洗浄液からなる。石膏分離部２１２上に残留した固体の石膏を石膏回収部２１３に供給して、回収石膏として回収する。また、流路Ｌ12に排出した水銀を含有する溶液を水銀回収装置２０の水銀処理部２１に送液する。このように、本実施の形態に係る水銀除去工程では、第一実施の形態の水銀溶出工程と石膏分離回収工程とを同時に行うことにより、石膏スラリー中の石膏から水銀を溶出させて分離する。すなわち、本実施の形態に係る水銀除去工程では、水銀溶出工程として、ＯＲＰ上昇−ｐＨ低下手段２１０Ａを用いて、石膏スラリー中の石膏から石膏スラリーの液相に水銀を溶出させると共に、前記水銀除去工程中に、石膏分離回収工程として、前記石膏スラリーを洗浄液により洗浄しながら固液分離すると共に、固体の石膏を回収する。
【００６２】
ＯＲＰ上昇−ｐＨ低下手段２１０Ａにより供給する酸化剤は、石膏スラリーの酸化還元電位を上昇させることができる酸化剤であればよく、空気、塩素化合物、酸素、オゾン、過酸化水素、鉄化合物等である。これらのうち、酸化剤は、実用的な観点から、空気、次亜塩素酸塩又はオゾンが好ましい。酸化剤として空気、次亜塩素酸塩又はオゾンを用いれば、流路Ｌ11の液が流路Ｌ33を介して最終的に脱硫装置１に流入した際に、脱硫装置１への影響を最小限にとどめることができる。
【００６３】
ＯＲＰ上昇−ｐＨ低下手段２１０Ａにより上昇させる石膏スラリーの酸化還元電位は、脱硫装置１の系外に排出した直後の石膏スラリーの酸化還元電位よりも高い値（第一規定値）とすればよい。第一規定値としては、第一実施の形態に記載の第一規定値を好適に採用できる。また、脱硫装置１の系外に排出した直後の石膏スラリーの酸化還元電位としては、第一実施の形態に記載の値を好適に採用できる。
【００６４】
ＯＲＰ上昇−ｐＨ低下手段２１０Ａにより供給する酸は、第一実施の形態に記載の酸を好適に採用できる。第二規定値としては、第一実施の形態に記載の第二規定値を好適に採用できる。また、脱硫装置１の系外に排出した直後の石膏スラリーのｐＨ値としては、第一実施の形態に記載の値を好適に採用できる。
【００６５】
排水処理工程では、排水処理装置２３０の流路Ｌ31に排出した溶液の一部を排水として流路Ｌ32から排出して排水処理設備又は無排水化設備に送ることにより、前記溶液の一部に対して排水処理又は無排水化処理を行う。また、流路Ｌ31に排出した溶液の他の一部を前記脱硫装置１に送液することにより、脱硫装置１内にて消費する水として再利用する。更に、流路Ｌ31に排出した溶液の残部を石膏分離部２１２に送液することにより、石膏回収工程にて消費する洗浄液として再利用する。前記排水以外の溶液の２つの再利用については、前述した流路Ｌ33と流路Ｌ34に設けた開閉弁を開閉制御することにより、少なくとも１つ以上の再利用を任意選択的に行うことができる。
【００６６】
第二実施の形態によれば、第一実施の形態と同様の効果を奏すると共に、ベルトフィルタ等の石膏分離部２１２のみで水銀を分離した石膏を回収できるため、効率的に石膏を回収できる。
【００６７】
［３．第三実施の形態］
３.１．石膏回収システム
次いで、図４を参照して本発明に係る石膏回収システムの第三実施の形態について説明する。図４に示すように、第三実施の形態に係る石膏回収システムは、第二実施の形態と比較して、固液分離部３１６と排水処理装置３３０を更に備える点において主に相違する。第二の実施の形態と同様の構成については、同様の符号を付すと共に説明を省略する。また、図中にて太矢印で示したように、本実施の形態では、水銀を主に含有する溶液は流路Ｌ0、Ｌ16、Ｌ12、Ｌ21、ＬＨｇを流れる。
【００６８】
固液分離部３１６は、脱硫装置１の後流かつ水銀除去装置２１０の石膏分離部２１２の前流に位置し、ベルトフィルタ等の固液分離機である。固液分離部３１６は、脱硫装置１と流路Ｌ0を介して連結し、石膏分離部２１２と流路Ｌ16を介して連結し、排水処理装置３３０と流路Ｌ36を介して連結している。
【００６９】
排水処理装置３３０は、水銀回収装置２０にて水銀が回収された溶液の流れ方向に沿って水銀回収装置２０の後流に位置し、流路Ｌ31〜Ｌ34と流路Ｌ36とから構成される装置である。排水処理装置３３０は、系外の排水処理設備又は無排水化設備と流路Ｌ32を介して連結し、脱硫装置１と流路Ｌ33を介して連結し、水銀除去装置２１０の石膏分離部２１２の洗浄液供給部と流路Ｌ34を介して連通し、固液分離部３１６と流路Ｌ36を介して連通している。前記排水処理設備と無排水化設備には、第一実施の形態と同様の構成を採用できる。また、流路Ｌ33と流路Ｌ34には、第一実施形態と同様の図示しない開閉弁が設けられている。
【００７０】
３.２．石膏回収方法
次に、本発明に係る石膏回収方法の第三実施の形態を説明する。第三実施の形態に係る石膏回収方法は、第二実施の形態と比較して、固液分離工程を更に含む点で相違する。前述した第二実施の形態と同様の方法については説明を省略する。
【００７１】
脱硫装置１の系外に排出した直後に石膏スラリーには、固相の石膏に対して多量の水分が含有され、この水分が主に石膏スラリーの液相を構成している。例えば、本明細書に記載の石灰石膏法を用いた脱硫装置１の系外へ排出された石膏には、１０〜３０％程度の固相の石膏に対して、７０〜９０％程度の水分が含有されている。また、脱硫装置１の系外に排出した石膏スラリーは、マンガン化合物を更に含んでいる。マンガン化合物の流入原として、排ガス中の煤塵や脱硫装置１に供給される石灰石、脱硫装置１にて使用されるマンガン化合物(Ｍｎ２＋、Ｍｎ４＋、Ｍｎ７＋)系の酸化剤が挙げられる。マンガン化合物は、酸化マンガン、二酸化マンガンとして石膏表面に析出することにより、石膏の着色の原因となる。
【００７２】
固液分離工程では、水銀除去工程前に、脱硫装置１の系外に排出した直後の石膏スラリーを固液分離部３１６に供給して固液分離する。固液分離により、石膏スラリーからマンガン化合物を含有する石膏スラリーの液相の大部分を分離する。大部分の液相を分離した石膏スラリーを水銀除去装置２１０の石膏分離部２１２に供給することにより、水銀除去工程を実施する。また、石膏スラリーから分離した溶液を固液分離部３１６から排出流路Ｌ36に排出することにより、排水処理工程の排水として合流させる。
【００７３】
第三実施の形態によれば、第二実施の形態と同様の効果を奏すると共に、脱硫装置１の石膏スラリー中の７０〜９０％程度を占める水の大部分を固液分離部３１６により分離した（固液分離工程）後、石膏分離部２１２にてＯＲＰ上昇−ｐＨ低下手段２１０Ａと洗浄液供給部からの洗浄液を供給することにより、水銀を除去した石膏を回収できる。これにより、石膏分離部２１２にて洗浄液を貯留する図示しない貯留槽、水銀回収装置２０の水銀処理部２１の槽、第一実施形態に記載の水銀溶出部１１等の槽等の水処理に用いる水量を少なくして、これら槽を小さくできる。更に、脱硫装置１に排出した直後の石膏スラリーからマンガン化合物を除去することにより、石膏回収処理中にマンガンが析出することを防ぐことができる。したがって、石膏回収部２１３にて回収する回収石膏が着色することを防ぐことができる。
【００７４】
［４．第四実施の形態］
４.１．石膏回収システム
次いで、図５を参照して本発明に係る石膏回収システムの第四実施の形態について説明する。図５に示すように、第四実施の形態に係る石膏回収システムは、第二実施の形態と比較して、分級部４１７と、固液分離部４１８と、排水処理装置４３０と、流路Ｌ19とを更に備える点において主に相違する。第二実施の形態と同様の構成については、同様の符号を付すと共に説明を省略する。また、図中にて太矢印で示したように、本実施の形態では、水銀を主に含有する溶液は流路Ｌ0、Ｌ17、Ｌ12、Ｌ21、ＬＨｇを流れる。図中にて点線矢印で示す流路Ｌ19は、粒径の小さい石膏が流れる流路である。
【００７５】
分級部４１７は、脱硫装置１の後流かつ水銀除去装置２１０の石膏分離部２１２よりも前流に位置し、供給された石膏を粒径の大小により区分けするように構成されている。具体的には、分級部４１７は、ハイドロサイクロン、沈降槽等の固液分離機であり、所定の石膏の分級方法により供給された石膏スラリーを大粒径の石膏を含む石膏スラリーと小粒径の石膏を含む石膏スラリーとに区分けするように構成されている。分級部４１７は、脱硫装置１と流路Ｌ0を介して連結し、石膏分離部２１２と流路Ｌ17を介して連結し、固液分離部４１８と流路Ｌ37を介して連結している。また、分級部４１７は、大粒径の石膏を含む石膏スラリーを固液分離部４１８に送り、小粒径の石膏を含む石膏スラリーを石膏分離部２１２に送るように構成されている。
【００７６】
固液分離部４１８は、大粒径の石膏を含む石膏スラリーの流れる方向に沿って分級部４１７の後流に位置した、ベルトフィルタ等の固液分離機である。排水処理装置４３０と流路Ｌ38を介して連結し、石膏分離部２１２及び石膏回収部２１３の間の回収流路ＬＧと流路Ｌ18を介して連結している。固液分離部４１８は、大粒径の石膏を含む石膏スラリーを固液分離することにより大粒径の石膏と溶液とに分離し、大粒径の石膏を石膏回収部２１３に送ると共に、溶液を排水処理装置４３０に送るように構成されている。また、石膏分離部２１２と流路Ｌ18及び回収流路ＬＧとの連結点との間には、その一端にて回収流路ＬＧと連結し、他端にて脱硫装置１に連結した流路Ｌ19が設けてある。
【００７７】
排水処理装置４３０は、水銀が回収された溶液の流れ方向に沿って水銀回収装置２０の後流に位置し、流路Ｌ31〜Ｌ34と流路Ｌ38とから構成される装置である。排水処理装置４３０は、系外の排水処理設備又は無排水化設備と流路Ｌ32を介して連結し、脱硫装置１と流路Ｌ33を介して連結し、水銀除去装置２１０の石膏分離部２１２の洗浄液供給部と流路Ｌ34を介して連通し、固液分離部４１８と流路Ｌ38を介して連通している。前記排水処理設備と無排水化設備には、第一実施の形態と同様の構成を採用できる。また、流路Ｌ33と流路Ｌ34には、第一実施形態と同様の図示しない開閉弁が設けられている。
【００７８】
４.２．石膏回収方法
次に、本発明に係る石膏回収方法の第四実施の形態を説明する。第四実施の形態に係る石膏回収方法は、第二実施の形態と比較して、粒径分離工程を更に含む点にて主に相違する。前述した第二実施の形態と同様の方法については説明を省略する。
【００７９】
粒径分離工程では、水銀除去工程前に、脱硫装置１から系外へ排出した石膏スラリーを分級部４１７に供給し、分級部４１７を用いて石膏スラリー中の石膏を粒径別に分離することにより、大粒径の石膏を含む石膏スラリーと小粒径の石膏を含む石膏スラリーとに分離する。粒径分離により、分級部４１７のオーバーフロー液である水銀含有濃度の高い小粒径の石膏を含む石膏スラリーを石膏分離部２１２に供給して、水銀除去工程を行う。また、粒径分離により、分級部４１７のアンダーフロー液となる大粒径の石膏を含む石膏スラリーを固液分離部４１８に供給して固液分離する。固液分離により溶液分離した大粒径の石膏を石膏回収部２１３に供給して、回収石膏として回収する。また、固液分離により大粒径の石膏スラリーから分離した溶液を、流路Ｌ38を介して流路Ｌ32に送液することにより、排水処理工程の前記排水として処理する。
【００８０】
更に、石膏分離回収工程では、石膏回収部２１３にて回収石膏として回収する前の小粒径の石膏の一部を、流路Ｌ19から脱硫装置１に供給して水銀除去剤として再利用する。
【００８１】
脱硫装置１から系外へ排出された石膏スラリー中の石膏は、粒径に応じて大粒径の石膏と小粒径の石膏とに区別できる。小粒径の石膏は、通常の石膏と比較して重量当たりの水銀５〜１０倍程度多い。これは、小粒径の石膏の重量当たりの表面積が大きく、水銀を吸着及び石膏に取り込むポテンシャルが高いことに由来すると推測できる。したがって、第四実施の形態によれば、第二実施の形態と同様の効果を奏すると共に、大粒径の石膏と比較して水銀の含有量が多い小粒径の石膏を選択的に分離することにより、水銀除去工程での洗浄に用いる洗浄液の量を低減できる。その結果、効率的に水銀を除去できる。更に、水銀除去工程後の洗浄後の小粒径の石膏を脱硫装置１に戻すことにより、小粒径の石膏を脱硫装置１の水銀除去剤として繰り返し使用できる。
【００８２】
［５．第五実施の形態］
５.１．石膏回収システム
次いで、図６を参照して本発明に係る石膏回収システムの第五実施の形態について説明する。図６に示すように、第五実施の形態に係る石膏回収システムは、第四実施の形態と比較して、粉砕部５２０を更に備える点において主に相違する。第四実施の形態と同様の構成については、同様の符号を付すと共に説明を省略する。図中にて点線矢印で示す流路Ｌ20及び流路Ｌ21は、固体の石膏が流れる流路である。
【００８３】
粉砕部５２０は、石膏回収部２１３と流路Ｌ21を介して連結し、脱硫装置１と流路Ｌ21を介して連結した、例えば粉砕機であり、石膏を粉砕してその粒径を小さくするように構成されている。
【００８４】
５.２．石膏回収方法
次いで、本発明に係る石膏回収方法の第五実施の形態を説明する。本実施の形態に係る石膏回収方法は、第四実施の形態と比較して粉砕工程を更に含む。第四実施の形態と同様の方法については説明を省略する
【００８５】
粉砕工程では、石膏分離回収工程にて石膏回収部２１３で回収した回収石膏の一部を粉砕部５２０に供給する。粉砕部５２０では、供給した回収石膏を粉砕することにより石膏の粒径を小さくする。粉砕部５２０により粒径を小さくした石膏を小粒径の石膏として
脱硫装置１に供給する。脱硫装置１内では、供給した小粒径の石膏を水銀吸着剤として利用する。
【００８６】
第五実施の形態によれば、第四実施の形態と同様の効果を奏すると共に、脱硫装置１に水銀除去剤として供給する小粒径の石膏の量を増大させることができる。このため、脱硫装置１から系外に排出する石膏に含まれる水銀含有量の低減を図ることができる。
【００８７】
なお、前述した実施の形態では、スラリーを固相の成分と液相の成分とに固液分離する固液分離機として、ベルトフィルタを例示した。本発明はこれに限定されない。固液分離機は、スラリーを固相と液相とに分離できる装置であればよく、例えば、遠心分離機、デカンタ型の遠心沈降機、重力式の沈殿濃縮槽等を採用できる。
【００８８】
また、前述した実施の形態では、石膏分離部１２、２１２上にて分離した石膏を石膏回収部１３、３１３にて回収石膏として回収する構成及び方法を例示した。本発明はこれに限定されない。本発明に係る石膏回収システム及び石膏回収方法の構成及び方法は、石膏分離部１２、２１２と石膏回収部１３、２１３の間に、石膏を工業用水等の洗浄水で洗浄するための固液分離部を更に備える構成とすることができ、石膏分離回収工程にて回収前の石膏に対する石膏洗浄工程を更に含むことができる。これにより、回収石膏の純度を更に高めることができる。
【００８９】
また、上述した各実施の形態では、本発明に係る石膏回収システム及び石膏回収方法の構成及び方法を例示した。本発明はこれに限定されない。本発明に係る石膏回収システム及び石膏回収方法では、脱硫装置１の運転条件に影響を受けることなく、石膏から不純物を効率よく分離し、純度の高い石膏を得ることができる範囲において、一実施の形態の一つ以の構成を他の実施の形態の構成に組み込むことにより、各実施の形態を適宜組み合わせることができる。例えば、第一形態の水銀溶出部１１を他の実施の形態の石膏分離部１２、２１２の前流に組み込むことにより、主に水銀の除去量を増大させる構成及び方法としてもよく、第三実施の形態の固液分離部３１６を他の実施の形態の石膏分離部１２、２１２の前流に組み込むことにより、主にマンガン化合物を排除する構成及び方法としてもよい。また、第四実施の形態の分級部４１７を第一〜第三実施の形態の石膏分離部１２、２１２の前流に組み込むことにより、又は第五実施の形態の粉砕部５２０を第一〜第三実施の石膏回収部１３、２１３の後流に形態に組み込むことにより、主に脱硫装置１の水銀除去剤量を増大させる構成及び方法としてもよい。
【産業上の利用可能性】
【００９０】
本発明に係る石膏回収システム及び石膏回収方法によれば、脱硫装置の運転条件に影響を受けることなく、石膏スラリー及び／又は石膏から不純物を効率よく分離し、純度の高い石膏を得ることができる。
【符号の説明】
【００９１】
１  脱硫装置
３  吸収液供給ノズル
１０、２１０  水銀除去装置
１０Ａ、２１０Ａ  ＯＲＰ上昇‐ｐＨ低下手段
１１  水銀溶出部
１２、２１２  石膏分離部
１３、２１３  石膏回収部
１５  制御装置
１５ａ  ＯＲＰ計
１５ｂ  ｐＨ計  
２０  水銀回収装置
２１  水銀処理部
２２  水銀分離部
２３  水銀回収部
３０、２３０、３３０、４３０  排水処理装置
３１６、４１８  固液分離部
４１７  分級部
５２０  粉砕部
【図１】
2018171573.tif 000004
【図２】
2018171573.tif 000005
【図３】
2018171573.tif 000006
【図４】
2018171573.tif 000007
【図５】
2018171573.tif 000008
【図６】
2018171573.tif 000009